(57)【要約】【課題】電子基板をハウジングの内側面に沿わせて縦配置で配置している記録装置に対して、電子基板の放熱性を向上させることができるハウジングを備えた記録装置を提供すること。【解決手段】本発明に係る記録装置は、記録装置本体の外観を構成するハウジング３と、前記ハウジング３の内側面に沿わせて縦配置で配置されている電子基板１５とを備え、前記電子基板１５の下部と上部に対応するハウジン３グの側面部１７には、前記電子基板１５が配置されている設置領域１９に外気Ｇの給排気経２１路を形成するための給気孔２３と排気孔２５が形成されている。【選択図】図５
2010017935.tif 000002
【特許請求の範囲】
【請求項１】
記録装置本体の外観を構成するハウジングと、
前記ハウジングの内側面に沿わせて縦配置で配置されている電子基板と、を備え、
前記電子基板の下部と上部に対応するハウジングの側面部には、前記電子基板が配置されている設置領域に外気の給排気経路を形成するための給気孔と排気孔が形成されていることを特徴とする記録装置。
【請求項２】
請求項１に記載の記録装置において、
前記ハウジング内には前記設置領域の側方領域に記録ヘッドによる記録実行領域が設けられており、前記設置領域と記録実行領域の境界に前記電子基板を保護するシールド部材が設置され、
前記設置領域と記録実行領域は、互いの下部領域が前記シールド部材によって区画されていることを特徴とする記録装置。
【請求項３】
請求項２に記載の記録装置において、
前記シールド部材の上方には、前記設置領域と記録実行領域の上部領域が連通状態で接続される連通空間が設けられていることを特徴とする記録装置。
【請求項４】
請求項１〜３のいずれか１項に記載の記録装置において、
前記給気孔はハウジングの側面部と底面部とに跨がるハウジングの下部コーナ部に形成されていることを特徴とする記録装置。
【請求項５】
請求項１〜４のいずれか１項に記載の記録装置において、
前記給気孔と排気孔は、ハウジングの縦方向に延びるスリット形状に形成されていることを特徴とする記録装置。
【発明の詳細な説明】
【技術分野】
【０００１】
本発明は、電子基板をハウジングの内側面に沿わせて縦配置で配置している記録装置に対して、電子基板の放熱性を向上させた記録装置に関する。
【背景技術】
【０００２】
以下、記録装置の一例であるインクジェットプリンタを例に採って説明する。近時のインクジェットプリンタは小型化が進められており、ハウジング内のスペースの有効利用を図るために、電子基板をハウジングの内側面に沿わせて縦配置で設置したものが登場してきている。また、このような電子基板の配置は、インクジェットプリンタの組立てを容易にし、電子基板を磁気から守るためのシールド板の併設によって記録ヘッドから噴射され、ハウジング内を浮遊しているインクミストの電子基板への付着を防止する点でも有用な配設形態となっている。
【０００３】
しかし、このような電子基板の配置は、囲まれた狭い空間内に電子基板が配置されることになるため、該電子基板にマウントされた電子部品の放熱対策が問題になってくる。また、記録ヘッドの高密度化、多列化または高速化やファクシミリ、メモリーカードあるいはスキャナ等の他機能を備えた多機能化、複合化が進んでいる状況を踏まえると、前記電子部品の放熱対策は緊急を要する課題になっている。
【０００４】
尚、下記の特許文献１では、ハウジング内で発生した熱や水蒸気を外部に排出するために開口部を形成した画像形成装置が開示されている。また、下記の特許文献２では、基板ボックスの側面と背面に通気孔を形成することで電子基板に紙粉が付着するのを防止した記録装置が開示されている。
【特許文献１】特開２００４−１１７５８９号公報
【特許文献２】特開２００４−１４２１９２号公報
【発明の開示】
【発明が解決しようとする課題】
【０００５】
しかし、前記特許文献１に示す開口部や特許文献２に示す通気孔を設けるだけでは、発熱した電子部品を効果的に冷却し、放熱を図ることはできない。一方、前記開口部に通気孔を数多く配置すれば放熱効果の向上が期待できるが、ハウジングの成形性、外観及び機械的強度の低下を招いてしまう。また、冷却ファンの併用も考えられるが、部品コストや消費電力の増大を招き、冷却ファンの騒音対策も問題になってくる。
【０００６】
本発明の目的は、電子基板をハウジングの内側面に沿わせて縦配置で配置している記録装置に対して、電子基板の放熱性を向上させることができるハウジングを備えた記録装置を提供することにある。
【課題を解決するための手段】
【０００７】
前記目的を達成するために、本発明の第１の態様に係る記録装置は、記録装置本体の外観を構成するハウジングと、前記ハウジングの内側面に沿わせて縦配置で配置されている電子基板とを備え、前記電子基板の下部と上部に対応するハウジングの側面部には、前記電子基板が配置されている設置領域に外気の給排気経路を形成するための給気孔と排気孔が形成されていることを特徴とするものである。ここで、「縦配置」の縦は、本発明においては厳密な意味での縦方向であることは要求されない。電子基板が多少傾斜している場合も含む意味で使われている。
【０００８】
本態様によれば、ハウジングの側面部であって前記電子基板の下部と上部に対応する下部と上部の側面部位に、給気孔と排気孔をそれぞれ形成するといった簡単な構成によって、給気孔から電子基板の設置領域内に流入した外気は、発熱した電子部品に触れて電子部品を冷却し、自身は温められて放熱作用を奏すると共に、設置領域内で温められた空気は給排気経路を通って排気孔からハウジング外へ排出されるので、電子基板の設置領域内での温度上昇を防止することができる。また、口径が小さく、配置ピッチの間隔が大きな給気孔と排気孔を採用することによってハウジングの機械的強度の低下を防止することができる。
【０００９】
本発明の第２の態様は、前記第１の態様に係る記録装置において、前記ハウジング内には前記設置領域の側方領域に記録ヘッドによる記録実行領域が設けられており、前記設置領域と記録実行領域の境界に前記電子基板を保護するシールド部材が設置され、前記設置領域と記録実行領域は、互いの下部領域が前記シールド部材によって区画されていることを特徴とするものである。
【００１０】
本態様によれば、前記電子基板の設置領域と記録実行領域の互いの下部領域は前記シールド部材によって区画されているので、前記記録実行領域側から電子基板の下部領域に流入する気流は無い。従って、その分だけ外気は、電子部品の下部に対応するハウジングの側面下部に形成されている給気孔から流入し易すくなり、下部の給気孔から上部の排気孔に向けての空気の流れが安定して形成されるようになる。
【００１１】
本発明の第３の態様は、前記第２の態様に係る記録装置において、前記シールド部材の上方には、前記設置領域と記録実行領域の上部領域が連通状態で接続される連通空間が設けられていることを特徴とするものである。
【００１２】
本態様によれば、記録ヘッドの記録実行領域で発生したインクミストを電子基板に付着させることなく、シールド部材の上方に設けた連通空間を通過させて上部に設けた排気孔から設置領域内を流れる空気と一緒に外部に排出させることが可能になる。
【００１３】
本発明の第４の態様は、前記第1の態様から第３の態様のいずれか一つに係る記録装置において、前記給気孔はハウジングの側面部と底面部とに跨がるハウジングの下部コーナ部に形成されていることを特徴とするものである。
【００１４】
本態様によれば、前記給気孔はハウジングの側面部と底面部とに跨がるハウジングの下部コーナ部に形成されているので、給気孔から設置領域内への外気の流入が促進され、設置領域内における下部の給気孔から上部の排気孔に向けての空気の流れが安定し、空気の流量が増大するから電子部品に対する冷却作用が向上する。
【００１５】
本発明の第５の態様は、前記第１の態様から第４の態様のいずれか一つに係る記録装置において、前記給気孔と排気孔は、ハウジングの縦方向に延びるスリット形状に形成されていることを特徴とするものである。
【００１６】
本態様によれば、ハウジングの縦方向に長いスリット形状の給気孔と排気孔の採用によって、ハウジングの機械的強度を低下させることなく、電子基板の設置領域内での円滑な空気の流れを形成することが可能になる。
【発明を実施するための最良の形態】
【００１７】
以下、本発明の実施の形態に係る記録装置について図面に基づいて具体的に説明する。最初に本実施の形態の記録装置を実施するための最良の形態としてインクジェットプリンタ１を採り上げて、その全体構成の概略を図面に基づいて説明する。
【００１８】
図１はインクジェットプリンタの外観と内部構造の一部を示す斜視図である。  
このインクジェットプリンタ１は、上部にスキャナ部２Ａ、下部にプリンタ部２Ｂを備えたいわゆる複合機であり、外観が比較的フラットな面によって構成されている矩形筺体状の記録装置本体の外観構成部材であるハウジング３を備えている。ハウジング３の前面には、各種の操作を実行するための操作指令や操作に必要な設定項目を入力するための操作パネル５と、メモリーカード等の外部メディアのメディア挿入口７と、記録実行後の被記録材をスタックするための回動式（図では閉塞状態にある）の排出用スタッカ９とが設けられている。
【００１９】
また、ハウジング３の内部には、載置面にセットされた被記録材の給送、搬送及び排出を司る図示しない搬送系の装置と、記録実行領域に供給された被記録材の被記録面に各種のインクを吐出して記録を実行する記録ヘッド１１（後述する図５）と、該記録ヘッド１１を下面に搭載して被記録材の搬送方向Ａと交差する幅方向Ｂに往復移動するキャリッジ１３とを備える記録実行系の装置と、上述した操作パネル５からの入力情報に基づいて前記搬送系の装置と記録実行系の装置の動作制御を行う電子基板１５を備えた制御系の装置とが設けられている。
【００２０】
[実施例１]
次に、このようにして構成されるインクジェットプリンタ１のハウジング３に対して適用される本実施例の記録装置の特徴的構成について具体的に説明する。  
図２は電子基板であるメイン基板にシールド部材を装着した状態のメイン基板ユニットを示す斜視図、図３はハウジングの向って右側の側面部を示す前方斜め下方からの斜視図である。また、図４はハウジングの内部空間の一部を示す前方斜め上方からの縦断斜視図、図５はハウジングの内部空間の構造とハウジング内の空気とインクミストの流れを模式的に示す正面図である。
【００２１】
本実施例の記録装置１には、前述した記録装置本体の外観構成部材であるハウジング３の内部に、該ハウジング３の内側面に沿わせて縦配置で配置されている電子基板１５が備えられている。そして、前記電子基板１５の下部と上部に対応するハウジング３の側面部である周壁部１７に、電子基板１５が配置される設置領域１９が設けられており、前記設置領域１９内に外気Ｇの給排気経路２１を形成するための給気孔２３と排気孔２５とが当該周壁部１７に形成されている。
【００２２】
また、本実施例では図３から図５に示すように、ハウジング３の向って右側の側壁部１７Ｒに対して、前記給気孔２３と排気孔２５が搬送方向Ａに沿うように多数、所定の配設ピッチで整列されて設けられている。また、ハウジング３内には前記設置領域１９の、向って左側の側方領域に、キャリッジ１３の往復移動空間となる記録ヘッド１１の記録実行領域２７が設けられている。
【００２３】
設置領域１９には、電子基板１５の一例であるメイン基板１５Ａを備えるメイン基板ユニット２９がハウジング３の縦方向Ｈに沿った縦配置で設けられている。メイン基板ユニット２９は、図２に示すように、インクジェットプリンタ１の主要な動作の制御を司どる電子部品３１がマウントされた上述したメイン基板１５Ａと、メイン基板１５Ａの半田付けされた、向って右側のパターン面３３を被覆する絶縁性を維持するための絶縁カバー３５と、メイン基板１５Ａの電子部品３１が装着されている、向って左側の装着面３７を覆って、電子部品３１の動作に悪影響を及ぼす磁気から防護するためのシールド部材３９が設けられている。
【００２４】
そして、前記シールド部材３９は、設置領域１９と記録実行領域２７の境界部に設けられており、該シールド部材３９によって設置領域１９と記録実行領域２７の互いの下部領域が区画されて（閉塞状態になって）、ハウジング３内の空気ＧやインクミストＭは、設置領域１９と記録実行領域２７間で行き来ができない状態になっている。すなわち、前記記録実行領域２７側から電子基板１５Ａの下部領域に流入する気流は無い。従って、その分だけ外気は、電子基板１５Ａの下部に対応するハウジング３の側面下部に形成されている給気孔２３から流入し易すくなり、下部の給気孔２３から上部の排気孔２５に向けての空気の流れが安定して形成されるようになっている。
【００２５】
一方、シールド部材３９の上方には、設置領域１９と記録実行領域２７の上部領域を連通状態で接続する連通空間４１が形成されており、該連通空間４１を通って記録実行領域２７において発生し浮遊しているインクミストＭが、設置領域１９の上部領域において設置領域１９内を流れる空気Ｇと一緒になって、排気孔２５からハウジング３外に排出されるようになっている。
【００２６】
給気孔２３と排気孔２５は、ハウジング３の縦方向Ｈに延びる縦に長い角穴や長円形の長穴によって構成されるスリット形状に形成されている。具体的には、給気孔２３と排気孔２５は、図３に示すように多数設けられており、整列状態で搬送方向Ａに沿って配設されることによって構成されている。
【００２７】
また、本明細書で使用するハウジング３の周壁部１７と側壁部１７Ｒは、記録装置本体の側面のみを覆っている部分のみを指すのではなく、前記周壁部１７や側壁部１７Ｒと連続して形成されている底板部４３や天板部４５と連なる下部コーナ部４７や上部コーナ４９を含んだ範囲を意味している。そして、本実施例では、ハウジング３の下部に設けられる給気孔２３は、ハウジング３の側壁部１７Ｒと底板部４３とを跨がる下部コーナ部４７に設けられている。
【００２８】
次に、このようにして構成される本実施例の記録装置１による外気Ｇを利用した（１）電子基板の冷却作用と、（２）インクミストの排出作用について説明する。
【００２９】
（１）電子基板の冷却作用（図４参照）
ハウジング３の下部コーナ部４７に形成されている給気孔２３から、設置領域１９内に流入した外気Ｇは、メイン基板１５Ａの裏面側のパターン面３３を介して間接的に、そして、メイン基板１５Ａの下方を通ってメイン基板１５Ａの表面側に流れ込んで直接的にメイン基板１５Ａに作用して発熱した電子部品３１を冷却する。
【００３０】
電子部品３１の冷却に使用された空気Ｇは、設置領域１９内に形成されている縦方向の給排気経路２１を通って上方へと流れ、ハウジング３の側壁部１７Ｒの上部に形成されている排気孔２５からハウジング３の外部に排気される。以下、同様の作用を繰り返して電子部品３１の温度を所定の温度まで下げる。
【００３１】
（２）インクミストの排出作用（図５参照）
ハウジング３内の記録実行領域２７では、記録ヘッド１１からのインクの吐出に伴って、記録の実行に使用されなかったインクの一部がインクミストＭになって浮遊している。そして、本実施例では、前記連通空間４１の存在によって記録実行領域２７の上部領域において漂っているインクミストＭは、給排気経路２１を通って設置領域１９内を流れる空気Ｇの流れによって引っ張られ、設置領域１９の上部領域に流れ込み、空気Ｇといっしょになって、排気孔２５からハウジング３の外方に向けて排出される。
【００３２】
［実施例２］
本発明に係る記録装置は、以上述べたような構成を基本とするものであるが、本発明の要旨を逸脱しない範囲内の部分的構成の変更や省略等を行うことも勿論可能である。
【００３３】
例えば、給気孔２３と排気孔２５が設けられるハウジング３の部位は、前記図１〜図５に示す実施例のように、ハウジング３の向って右側の側壁部１７Ｒに限らず、向って左側の側壁部１７Ｌであってもよいし、背面側等の他の周壁部１７であってもよい。また、給気孔２３と排気孔２５は、図６に示すように電子基板１５が複数枚設けられていて、これらがハウジング３の内側面に沿った異なる部位において縦配置で配置されている場合には、ハウジング３の複数の周壁部１７に複数組、設けることが可能である。因みに図６では、向って左側に配置されている電子基板１５をサブ基板１５Ｂ、絶縁カバー３５とシールド部材３９を含んだ基板ユニットをサブ基板ユニット３０として図示している。
【図面の簡単な説明】
【００３４】
【図１】本発明に係りインクジェットプリンタの外観と内部構造の一部を示す斜視図。
【図２】同、シールド部材を装着した状態のメイン基板ユニットを示す斜視図。
【図３】同、ハウジングの向って右側の側壁部を示す前方斜め下方からの斜視図。
【図４】同、ハウジングの内部空間の一部を示す前方斜め上方からの縦断斜視図。
【図５】同、ハウジングの内部空間と空気とインクミストの流れを模式的に示す正面図。
【図６】給気孔と排気孔を複数組、配設した他の実施例を模式的に示す正面図。
【符号の説明】
【００３５】
１  インクジェットプリンタ（記録装置）、２Ａ  スキャナ部、２Ｂ  プリンタ部、３  ハウジング、５  操作パネル、７  メディア挿入口、９  排出用スタッカ、１１  記録ヘッド、１３  キャリッジ、１５  電子基板、１５Ａ  メイン基板、１５Ｂ  サブ基板、１７  側面部（周壁部）、１７Ｒ  側面部（側壁部）、１９  設置領域、２１  給排気経路、２３  給気孔、２５  排気孔、２７  記録実行領域、２９  メイン基板ユニット、３０  サブ基板ユニット、３１  電子部品、３３  パターン面、３５  絶縁カバー、３７  装着面、３９  シールド部材、４１  連通空間、４３  底板部、４５  天板部、４７  下部コーナ部、４９  上部コーナ部、Ａ  搬送方向、Ｂ  幅方向、Ｇ  外気、Ｍ  インクミスト、Ｈ  縦方向
【図１】
2010017935.tif 000003
【図２】
2010017935.tif 000004
【図３】
2010017935.tif 000005
【図４】
2010017935.tif 000006
【図５】
2010017935.tif 000007
【図６】
2010017935.tif 000008